(57)【特許請求の範囲】
【請求項１】
ケース本体の舟底部を構成する断熱壁の前面上部に防露ヒータ付きのフロントガラスを備え、かつ前記断熱壁の前面に化粧フロントパネル，およびバンパーレールを布設した構成になる冷蔵ショーケースに対し、フロントガラス相互間の継ぎ目に重ね合わせてその上部にキャップ状のトリム，前面にガラス押エ板を被着し、かつガラス押エ板の上端を前記トリムとフロントガラスとの間に差し込み支持した上で、トリムを庫内側の板金部材に連結支持した冷蔵ショーケースのフロント構造において、前記トリムとガラス押エ板との間に伝熱板を介装し、該伝熱板の一端をフロントガラスの周縁に敷設した防露ヒータへ伝熱的に接触させたことを特徴とする冷蔵ショーケースのフロント構造。
【請求項２】
ケース本体の舟底部を構成する断熱壁の前面上部に防露ヒータ付きのフロントガラスを備え、かつ前記断熱壁の前面に化粧フロントパネル，およびバンパーレールを布設した構成になる冷蔵ショーケースに対し、フロントガラス相互間の継ぎ目に重ね合わせてその上部にキャップ状のトリム，前面にガラス押エ板を被着し、かつガラス押エ板の上端を前記トリムとフロントガラスとの間に差し込み支持した上で、トリムを庫内側の板金部材に連結支持した冷蔵ショーケースのフロント構造において、前記トリムの後端取付座に断熱材を介して庫内側の板金部材に固定支持したことを特徴とする冷蔵ショーケースのフロント構造。
【請求項３】
ケース本体の舟底部を構成する断熱壁の前面上部に防露ヒータ付きのフロントガラスを備え、かつ前記断熱壁の前面に化粧フロントパネル，およびバンパーレールを布設した構成になる冷蔵ショーケースに対し、フロントガラス相互間の継ぎ目に重ね合わせてその上部にキャップ状のトリム，前面にガラス押エ板を被着し、かつガラス押エ板の上端を前記トリムとフロントガラスとの間に差し込み支持した上で、トリムを庫内側の板金部材に連結支持した冷蔵ショーケースのフロント構造において、ガラス押エ板の下端をフロントガラスの基部とその前面に配したキャップ状バンパーレールとの間に差し込んで固定支持したことを特徴とする冷蔵ショーケースのフロント構造。
【請求項４】
請求項３記載のフロント構造において、バンパーレールの長手方向に沿ってその上面後部にフロントガラスを伝わって滴下する結露水を受ける凹部を形成したことを特徴とする冷蔵ショーケースのフロント構造。
【発明の詳細な説明】
【０００１】
【発明の属する技術分野】
この発明は、多段型オープンショーケース，平型ショーケースなどを対象とした冷蔵ショーケースのフロント構造に関する。
【０００２】
【従来の技術】
頭記した多段型オープンショーケース，平型ショーケースとして、そのフロント部に庫内の底部を透視できようにフロントガラスを装備した構成の製品が広く市場に展開している。
図３，図４はフロントガラスを備えた多段型オープンショーケース，平型ショーケースを示すものであり、各図において、１は断熱筐体としてなるケース本体、２はケース本体１の外箱１ａと内箱１ｂとの間に画成した冷気循環ダクト、３は冷却器（冷凍機のエバポレータ）、４は庫内ファン、５は商品陳列棚である。なお、かかる冷気循環式冷蔵ショーケースの保冷動作については周知であり、ここではその説明を省略する。
【０００３】
また、前記冷蔵ショーケースのフロント部は次のように構成されている。すなわち、ケース本体１の舟底部を構成する断熱壁の前面上部にはフロントガラス６を起立姿勢に装着しており、さらに前記断熱壁の前面には化粧フロントパネル７，およびフロントパネル７の上下に並んで前方に膨出したバンパーレール８が布設されている。
【０００４】
一方、冷蔵ショーケースをスーパーマーケットなどのロケーション先に据付ける場合に、複数台のショーケースを連結して使用することが多く、この場合にはショーケース間の連結部に対して、前記したフロントガラス相互間の継ぎ目に断熱材の充填した上で、その継ぎ目部分を後記のようにガラス押エ板，およびトリム（金属製のキャップ状継手部材）で覆うようにしている。
【０００５】
すなわち、図５(a),(b) 、図６において、９はフロントガラス６の間にまたがってその上部に被せたキャップ状のトリム、１０は継ぎ目の前面に重ね合わせたガラス押エ板、１１はバンパーレール８（このバンパーレールはその内部に防露ヒータを配線するなどしており、通称フロントキャップと呼ばれている）に被着してガラス押エ板１０の下端を固定する下部のトリムである。なお、６ａはフロントガラス６の上縁に被着した化粧枠、６ｂはフロントガラス６の周縁に敷設配線した防露ヒータ（ヒータ線）である。
【０００６】
ここで、ガラス押エ板１０の上端は上部のトリム９とフロントガラス６との間に挟み込み、下端の脚部をバンパーレール８に重ねて下部のトリム１１で挟持するようにしている。また、上部のトリム９は、その後端から庫内側に突き出した取付座９ａを庫内側の板金部材（フロントガラス６の両端を支えている）１２の上端に差し込んでねじ止めしている。また、下部のトリム１１はバンパーレール８の下面にねじ止めしている。
【０００７】
【発明が解決しようとする課題】
ところで、前記した従来のフロント構造では次記のような難点が残る。すなわち、
(1) 上部トリム９が庫内側の板金部材１２に直接固定されていることから庫内側の低温熱が伝熱し、このためにトリム９が冷やされてその表面に結露が発生し易くなる。
【０００８】
(2) また、上部のトリム９と直接接しているガラス押エ板１０についても、同様に庫内の低温がトリム９を介して伝熱するために結露が発生し易い。
(3) ガラス押エ板１０の下端をバンパーレール８に被せた下部トリム１１で固定しており、このために下部トリム１１が異形部品となってショーケース相互間の長手方向での一体感が損いわれる。
【０００９】
(4) さらに、従来のバンパーレール８はその上面が平坦であることから、フロントガラス６の表面に生じて流れ落ちる結露水がバンパーレール８の表面を伝わってショーケースの据付け床面に滴下し、その周辺を汚す問題がある。
そこで、この発明は上記した問題点を解消するように改良したショーケースのフロント構造を提供することを目的とする。
【００１０】
【課題を解決するための手段】
上記した各課題を解決するために、この発明によれば、ケース本体の舟底部を構成する断熱壁の前面上部に防露ヒータ付きのフロントガラスを備え、かつ前記断熱壁の前面に化粧フロントパネル，およびバンパーレールを布設した構成になる冷蔵ショーケースに対し、フロントガラス相互間の継ぎ目に重ね合わせてその上部にキャップ状のトリム，前面にガラス押エ板を被着し、かつガラス押エ板の上端を前記トリムとフロントガラスとの間に差し込み支持した上で、トリムを庫内側の板金部材に連結支持した冷蔵ショーケースのフロント構造において、
(1) トリムとガラス押エ板との間に伝熱板を介装し、該伝熱板の一端をフロントガラスの周縁に敷設した防露ヒータへ伝熱的に接触させ、フロントガラスの防露ヒータの発生熱をガラス押エ板，およびトリムに伝熱して結露の発生を抑えるようにする（請求項１）。
【００１１】
(2) トリムの後端取付座に断熱材を介して庫内側の板金部材に固定支持し、庫内側の板金部材（低温）とトリムとの間を断熱してトリムの結露発生を防ぐようにする（請求項２）。
(3) ガラス押エ板の下端をフロントガラスの基部とその前面に配したキャップ状バンパーレールとの間に差し込んで固定支持し、従来構造で使用していた固定部品（下部トリム）を省略し、外見上でフロント部の長手方向の一体感を損なわないようにする（請求項３）。
【００１２】
(4) 前項(3) において、バンパーレールの長手方向に沿ってその上面後部にフロントガラスを伝わって滴下する結露水を受ける凹部を形成し、床面への結露水の滴下を防止する（請求項４）。
【００１３】
【発明の実施の形態】
以下、この発明の実施の形態を図１，図２に示す実施例に基づいて説明する。なお、実施例の図中で図５，図６に対応する部材には同じ符号が付してある。
すなわち、図示実施例においては、フロントガラス６の継ぎ目に跨がって頂部に被せたキャップ状のトリム９に対し、その後部に突き出た取付座９ａに例えばゴムなどの断熱シート１３を介挿して庫内側の板金部材１２にねじ止めし、庫内側の板金部材（低温）とトリム９との間の伝熱を抑えるようにしている。
【００１４】
また、トリム９とガラス押エ板１０との間には伝熱性の良いアルミ箔などで作られた伝熱板１４を介在し、その上面をフロントガラス６の継ぎ目に跨がってガラス周縁に敷設した防露ヒータ６ｂと伝熱的に接触するように化粧枠６ａとの間に挟み込み、防露ヒータ６ｂの発生熱を伝熱板１４を介してトリム９，およびガラス押エ板１０に伝えて結露を防止するようにしている。
【００１５】
一方、ガラス押エ板１０の下端は、バンパーレール８の後端とフロントガラス６との間に挟み込んで定位置に固定するように、さらにバンパーレール８の上面後部には長手方向に沿って凹部８ａを形成し、フロントガラス６の表面を伝わって流下する結露水をこの凹部８ａに受け止めて床面に滴下するのを防ぐようにしている。なお、凹部８ａに受けた結露水はバンパーレール８の内部に配線した防露ヒータの熱で蒸発処理するか、あるいはバンパーレール８の両端に形成した水抜き用の切欠（図示せず）を通じて庫内に導き、庫内側に発生したドレン水と一緒に排水処理するようにする。
【００１６】
【発明の効果】
以上述べたように、この発明の構成によれば、次記の効果を奏する。
(1) 請求項１，２の構成を採用することにより、従来のフロント構造で問題となっていたフロントガラス継ぎ目部分のガラス押エ板，トリムの露付きが防止できる。
【００１７】
(2) 請求項３の構成により、従来のフロント構造で使っていた下部トリムが不要となるので、フロント部の長手方向での一体感を損なわずに外見上での体裁を改善できる。
(3) また、請求項４の構成により、フロントガラスの表面を伝わって流れ落ちる結露水がバンパーレールを超えて店内の床面上に滴下するのを防止できる。
【図面の簡単な説明】
【図１】この発明の実施例によるショーケースのフロント構造を表す断面図
【図２】図１における伝熱板取付部分の分解斜視図
【図３】フロントガラスを装備した多段型オープンショーケースの構成図
【図４】フロントガラスを装備した平型ショーケースの構成図
【図５】図３，図４の冷蔵ショーケースにおけるフロント部の構成図であり、(a) は側面図、(b) はフロントガラス継ぎ目部分の正面図
【図６】図５の分解斜視図
【符号の説明】
１    ケース本体
６    フロントガラス
６ａ  化粧枠
６ｂ  防露ヒータ
７    フロントパネル
８    バンパーレール
８ａ  凹部
９    トリム
９ａ  取付座
１０    ガラス押エ板
１２    庫内側の板金部材
１３    断熱シート
１４    伝熱板
【図１】
0003663906.tif 000002
【図２】
0003663906.tif 000003
【図３】
0003663906.tif 000004
【図４】
0003663906.tif 000005
【図５】
0003663906.tif 000006
【図６】
0003663906.tif 000007